(57)【要約】  本発明によると、シェービング器具（１０）が、ハンドル（１６）と、ネック（１４）と、かみそりカートリッジ（１２）と、バイアス部材（１８）とを含む。ネックは、ハンドルから延び、かつ、第１連結部材（２８）と、皮膚係合面（３２）を有するガードバーとを含む。かみそりカートリッジは、少なくとも１つの刃（２０）の後部に配置されたキャップ（２２）を含む。かみそりカートリッジは、該かみそりカートリッジが、中立位置（４６）と回転位置（４８）との間でガードバーの皮膚係合面に対してピボット運動可能であるように、ネックの第１連結部材に取り付けられる。バイアス部材は、かみそりカートリッジを中立位置の方向に付勢する。使用中、ガードバーの皮膚係合面を通り過ぎる剃られる表面によって生じる摩擦力が、ハンドル内に伝達されるので、通常のシェービングの際、中立位置と回転位置との間のかみそりカートリッジのピボット運動に与える影響は、ごくわずかである。
2008540053.tif 000002
【特許請求の範囲】
【請求項１】
グリップ部分を有するハンドルと、
第１連結部材と、皮膚係合面係合面部分を有するガードバーとを含む、前記ハンドルから延びるネックと、
鋭利な刃先を有する少なくとも１つの刃の後部に配置されたキャップを有するかみそりカートリッジと、
を備え、
前記かみそりカートリッジは、該かみそりカートリッジが、前記ガードバーの前記皮膚係合面に対して中立位置と回転位置との間でピボット運動可能なように、前記ネックの前記第１連結部材にピボット運動可能に取り付けられることを特徴とするシェービング器具。
【請求項２】
前記ネック又は前記ハンドルのうちの一方に連結されたバイアス部材をさらに備え、前記バイアス部材は、前記かみそりカートリッジを前記中立位置の方向に付勢するように作動可能であることを特徴とする請求項１に記載のシェービング器具。
【請求項３】
前記バイアス部材は、少なくとも前記ネックに連結されることを特徴とする請求項２に記載のシェービング器具。
【請求項４】
前記バイアス部材は、少なくとも前記ハンドルに連結されることを特徴とする請求項２に記載のシェービング器具。
【請求項５】
前記ガードバーの前記皮膚係合面は湾曲していることを特徴とする請求項１に記載のシェービング器具。
【請求項６】
前記かみそりカートリッジは、前記少なくとも１つの刃の前部のリンス通過部材をさらに備え、前記リンス通過部材は、前記ガードバーの前記皮膚係合面に対して、該かみそりカートリッジと共にピボット運動可能であることを特徴とする請求項１に記載のシェービング器具。
【請求項７】
前記リンス通過部材は、前記皮膚係合面にほぼ隣接して配置されていることを特徴とする請求項６に記載のシェービング器具。
【請求項８】
グリップ部分と、
第１の連結部分と皮膚係合面を有するガードバーとを有し、前記グリップ部分から延びるネック部分と、
を備え、
前記第１連結部材は、かみそりカートリッジが前記ガードバーの前記皮膚係合面に対してピボット運動可能であるように、かみそりカートリッジを受けるように作動可能であることを特徴とするかみそり用ハンドル。
【請求項９】
前記かみそり用ハンドルに連結されたバイアス部材をさらに備え、前記バイアス部材は、前記かみそりカートリッジを前記中立位置の方向に付勢するように作動可能であることを特徴とする請求項８に記載のかみそり用ハンドル。
【請求項１０】
前記バイアス部材は、少なくとも前記ネックに連結されることを特徴とする請求項９に記載のシェービング器具。
【請求項１１】
前記バイアス部材は、少なくとも前記ハンドルに連結されることを特徴とする請求項９に記載のシェービング器具。
【請求項１２】
前記ネックは、第２のコネクタ部材をさらに含み、かつ、前記ハンドルの前記グリップ部分から選択的に取り外し可能であることを特徴とする請求項８に記載のかみそり用ハンドル。
【請求項１３】
鋭利な刃先を有する少なくとも１つの刃と、
前記少なくとも１つの刃の後部に配置されたキャップと、
前記少なくとも１つの刃及び前記キャップがガードバーに対してピボット運動可能なように、ガードバーを有するかみそり用ハンドルに取り付けるための連結手段と、
を備えることを特徴とするかみそりカートリッジ。
【請求項１４】
前記少なくとも１つの刃の前部に配置されたリンス通過部材をさらに備え、前記リンス通過部材は、前記ガードバーに対して、前記少なくとも１つの刃及び前記キャップと共にピボット運動可能であることを特徴とする請求項１３に記載のかみそりカートリッジ。
【請求項１５】
鋭利な刃先をもつ少なくとも１つの刃と、前記少なくとも１つの刃の後部に配置されたキャップとを有するかみそりカートリッジと、
皮膚係合面をもつガードバーを有するネックと、
を備え、
前記かみそりカートリッジは、該かみそりカートリッジが前記ガードバーの前記皮膚係合面に対してピボット運動するように、前記ネックにピボット運動可能に連結されることを特徴とするシェービング器具。
【請求項１６】
前記かみそりカートリッジは、前記少なくとも１つの刃の前部のリンス通過部材をさらに備え、前記リンス通過部材は、前記ガードバーの前記皮膚係合面に対して、前記かみそりカートリッジと共にピボット運動可能であることを特徴とする請求項１５に記載のシェービング器具。
【請求項１７】
前記ネックは、ハンドルに連結するための連結手段をさらに含むことを特徴とする請求項１５に記載のシェービング器具。
【請求項１８】
皮膚係合面を有するガードバーと、
かみそりカートリッジが前記ガードバーの前記皮膚係合面に対してピボット運動可能であるように、かみそりカートリッジと連結するように作動可能な第１連結部材と、
を備えることを特徴とするかみそりカートリッジのためのネック。
【請求項１９】
グリップ部分を有するかみそり用ハンドルと連結するように作動可能な第２連結部材をさらに備えることを特徴とする請求項１８に記載のかみそりカートリッジのためのネック。
【請求項２０】
前記かみそりカートリッジを中立位置の方向に付勢するように作動可能なバイアス部材をさらに備えることを特徴とする請求項１８に記載のかみそりカートリッジのためのネック。
【発明の詳細な説明】
【技術分野】
【０００１】
本発明は、一般に、かみそりカートリッジ、及びかみそりカートリッジを用いるシェービング器具に向けられ、特定的には、ガードバーに対してピボット運動するかみそりカートリッジを用いるシェービング器具に向けられる。
（関連出願の相互参照）
本出願は、２００５年５月２０日に出願された米国特許仮出願第６０／６８３，５２１号に基づく優先権を主張するものであり、その内容の全体が、引用により組み入れられる。
【背景技術】
【０００２】
ウェット・シェーブ用かみそりとしても一般に知られている、大部分の従来技術のシェービング器具は、かみそりカートリッジと、ハンドルとを含む。図１に示されるように、かみそりカートリッジは、一般に、ガードバーの後部及びキャップの前部に配置された少なくとも１つの刃を含む。使用中、かみそりカートリッジは、該かみそりカートリッジが、中立位置と回転位置との間でハンドルに対してピボット運動できるように、ハンドル上にピボット運動可能に取り付けられる。剃られる表面の方向に完全に回転されたとき、かみそりカートリッジは、中立位置にある。ハンドルに対する中立位置と回転位置との間のかみそりカートリッジのピボット動作は、これにより、かみそりカートリッジ及び関連した刃が、剃られる表面と接触し続けることが可能になるので、重要である。
【０００３】
通常のシェービング中、一定の力により、かみそりカートリッジが、剃られる表面から遠ざかるように、回転位置の方向に、ハンドルに対してピボット運動するようになる傾向がある。上述の力は、主として、ガードバーを通り過ぎる剃られる表面によってもたらされる摩擦力と、刃が毛を切るときにもらされる力とを含む。剃られる表面から遠ざかるようにピボット運動するカートリッジの傾向を補償するために、シェービング器具は、ばね式プランジャのようなバイアス部材を用いることが多い。バイアス部材は、かみそりカートリッジを中立位置の方向に付勢し、かみそりカートリッジを剃られる表面と接触状態に保持するように作用する。図２は、面と接触状態にある従来技術のシェービング器具を示し、バイアス部材、ガードバー、及びかみそり刃によってもたらされる対向する力が、どのようにかみそりカートリッジに作用するかを示す。
【０００４】
使用中、かみそりカートリッジが、中立位置と回転位置との間の位置まで、ハンドルに対してわずかにピボット運動されることが好ましい。上述の位置において、かみそりは、両方向に（すなわち、中立位置の方向に又は回転位置の方向に）ピボット運動することができる。両方向にピボット運動する能力により、輪郭を通り過ぎたときでさえ、剃られる表面との接触を維持することが可能になる。
【０００５】
しかしながら、バイアス部材の設計に伴う１つの問題は、例えば、ユーザが、かみそりカートリッジをどれだけ強く自分の皮膚に押し付けるか、除去される毛の量、及び存在する水及び／又はシェービング補助剤の量によって、上述の力が大きく変化し得るということである。例えば、ガードバー及びかみそり刃に作用する力が比較的小さい状況においては、バイアス部材によりかみそりカートリッジにかけられる力は、ともかく、かみそりカートリッジがピボット運動するのを防止する（すなわち、カートリッジは、中立位置のままである）。反対に、かみそり刃に作用する比較的大きい力、特にガードバーに作用する摩擦力により、かみそりカートリッジは、回転位置の方向にピボット運動される。かみそり刃が、実際に剃られる表面との接触を失う後者の状況が、図３に示される。両方の状況において、かみそりカートリッジが提供するシェービングの質はよくない。
【０００６】
上記に基づいて、従来技術と関連した問題及び欠点を克服するかみそりカートリッジ及びシェービング器具を提供することが、本発明の一般的な目的である。
【発明の開示】
【０００７】
本発明によると、シェービング器具が、ネックと、ハンドルと、かみそりカートリッジと、バイアス部材とを含む。ハンドルは、グリップ部分を有する。ネックは、ハンドルから延び、かつ、第１連結部材と、ガードバーとを含む。皮膚係合面が、ガードバー上に配置される。かみそりカートリッジは、少なくとも１つの刃の後部に配置されたキャップを含む。かみそりカートリッジは、該かみそりカートリッジが、中立位置と回転位置との間で、ガードバーの皮膚係合面に対してピボット運動可能であるように、ネックの第１連結部材に取り付けられる。
【０００８】
本発明の一態様によると、上述のかみそりカートリッジは、すすぎ通過部材をさらに含む。すすぎ通過部材は、少なくとも１つの刃の前部に配置され、好ましくは、ガードバーの皮膚係合面にほぼ隣接している。リンス通過部材もまた、かみそりカートリッジの一部として、ガードバーの皮膚係合面に対してピボット運動可能である。
【０００９】
本発明の１つの利点は、ガードバーが、かみそりカートリッジの残りの側面から分離されるという事実である。ガードバーがかみそりカートリッジから分離されるので、かみそりカートリッジに、剃られる表面から遠ざかるようにピボット運動させるように作用する力ではなく、通常のシェービングの際にガードバーに作用する力が、シェービングの際に伝達される。したがって、かみそりカートリッジに、剃られる表面から遠ざかるようにピボット運動させる力は、本質的に、毛を切る１つ又はそれ以上のかみそり刃によってもたらされる力に減少される。このように、バイアス部材が克服しなければならない力の範囲が減少され、より予測可能にされる。結果として得られる本発明のシェービング器具は、望ましくないことに、かみそりカートリッジが剃られる表面から遠ざかるように回転することなく、又は中立位置にとどまることなく、シェービング中に、ユーザが、所望のように軽く又はしっかりと押し付けることを可能にする。
【発明を実施するための最良の形態】
【００１０】
図４〜図４Ｂに示されるように、本発明のシェービング器具１０が、かみそりカートリッジ１２と、ネック部分１４と、ハンドル１６と、バイアス部材１８とを含む。かみそりカートリッジ１２は、少なくとも１つの刃２０と、キャップ２２と、随意的に、すすぎ通過部材２４とを含む。ネック部分１４は、ガードバー２６と、第１連結部材２８とを含む。ハンドル１６は、グリップ部分３０を含む。かみそりカートリッジ１２は、ネック部分１４の第１連結部材２８にピボット運動可能に取り付けられる。
【００１１】
ウェット・シェービング用かみそりとも呼ばれるシェービング器具１０は、一般に、「システム」式又は「使い捨て」式のような２つの方法で市販されている。システム式かみそりは、典型的には、恒久的なハンドル１６と、取り外し可能なかみそりカートリッジ１２とを含む。これらの状況において、かみそりカートリッジ１２は、ハンドル１６に取り外し可能に取り付けられ、刃２０が切れなくなるまで使用される。刃２０が磨耗すると、ユーザは、かみそりカートリッジ１２を選択的に取り外し、これを、同じハンドル１６上で新しいかみそりカートリッジ１２と交換することができる。本発明が「システム」として設計される場合、ネック部分１４は、恒久的なハンドル１６の一部として（すなわち、ハンドル１６のグリップ部分３０から延びている）含んでもよく、交換可能なかみそりカートリッジ１２の一部として組み立ててもよく、又はかみそりカートリッジ１２及びハンドル１６の両方から分離して製造することができる。本かみそりが、使い捨てシェービング器具１０であることが意図される場合、通常の使用中、一般に、３つのセグメント１２、１４、１６の全ては、これらが分離されることが意図されないように取り付けられる。これらの状況においては、使い捨て式シェービング器具１０は、刃２０が磨耗するまで使用され、次いで、シェービング器具１０全体が廃棄される。本発明は、両方のタイプのシェービング器具１０に関して以下に説明される。
【００１２】
図５〜図６Ａを参照すると、ネック１４が、ガードバー２６と、第１連結部材２８とを含む。ガードバー２６は、表面が少なくとも１つの刃２０に当たる前に、剃られる表面の皮膚を予め伸ばすように作動可能な皮膚係合面３２を含む。皮膚係合面３２は、これらに限られるものではないが、エラストマー材料のような任意の適切な材料で作製することができる。皮膚係合面３２は、例えば、ネック部分１４のガードバー２６の上に直接射出成形することができる。図６Ａに示されるように、ガードバー２６の皮膚係合面３２は、湾曲していることが好ましい。
【００１３】
第１連結部材２８は、（下記に述べられる）かみそりカートリッジ１２上の補完的コネクタ３４と共にピボット運動可能に取り付けられる。ネック１４とかみそりカートリッジ１２との間をピボット式に連結する第１連結部材２８として、任意の適切なコネクタを用いることができる。例えば、図６に示されるように、第１連結部材２８は、外側に向いた２つのピン３１を含む。図示される第１連結部材２８は、「オス型」であるが、これらは、同様に、かみそりカートリッジ上の補完的な「オス型」コネクタと嵌合する「メス型」コネクタとすることもできる。さらに、図５は、２つの連結点をもつ第１連結部材２８を有するネック１４を示すが（図４Ａを参照されたい）、本発明の範囲から逸脱することなく、１つ又は３つ、或いはそれ以上の連結点を用いることもできる。しかしながら、全ての実施形態において、第１連結部材２８の連結点のいずれも、通常のシェービング中、剃られる表面が、皮膚係合面に接触するのを妨げることが好ましい。第１連結部材２８は、ユーザが、かみそりカートリッジ１２をネック１４から選択的に取り外すことができるように、或いは、一旦連結されると、かみそりカートリッジ１２及びネック１４が分離されることが意図されないように、かみそりカートリッジ１２上の補完的コネクタ３４に取り付けられることが可能である。
【００１４】
図４及び図４Ａを参照すると、幾つかの実施形態においては、ネック１４は、ハンドル１６のグリップ部分３０から取り外し可能にすることができる。これらの実施形態においては、ネック１４は、ユーザが該ネック１４をハンドル１６のグリップ部分３０から選択的に取り外すことを可能にする第２連結部材３６を含む。図４Ａに示されるように、ネック１４は、（下記に述べられる）ハンドル上の第２補完的コネクタ３８と連結する「オス型」の圧着式第２連結部材３６を含む。しかしながら、用いることができる多数の適切なタイプの取り付け具が、当業者に知られており、よって、ここでは、第２連結部材３６をより詳細に説明しない。しかしながら、他の実施形態においては、ネック１４は、ハンドル１６のグリップ部分３０と共に一体形成される。
【００１５】
再び図４を参照すると、ハンドル１６は、好ましくは人間工学的に形成されたグリップ部分３０を含み、これにより、使用中、ユーザが、本発明のシェービング器具１０をより快適に保持することが可能になる。上述のように、ネック１４がハンドル１６から選択的に取り外し可能な実施形態において、ハンドル１６は、第２の補完的コネクタ３８を含むことができる。
【００１６】
ここで図６〜図７Ａを参照すると、バイアス部材１８が、ネック１４及び／又はハンドル１６に連結され、かつ、かみそりカートリッジ１２と接触している。図４Ｂに示されるように、バイアス部材１８は、拡張位置４２（図６Ａを参照されたい）と後退位置４４（図７Ａを参照されたい）との間で移動可能なばね式プランジャ４０とすることができる。これらの実施形態において、通常のシェービング操作中、ばね式プランジャ４０の端部は、かみそりカートリッジ１２と接触している。ばね式プランジャ４０は、かみそりカートリッジ１２を押し付け、かみそりカートリッジ１２を中立位置４６の方向に付勢する（下紀により詳細に述べられる）。図６〜図７Ａは、ばね式プランジャ４０のようなバイアス部材１８を示すが、代わりに、当業者に周知のいずれのタイプのバイアス部材１８を用いることもできる。ばね式プランジャ４０の一般的な代案は、これらに限られるものではないが、板ばね及びトーションばねを含む。
【００１７】
代替的に、図には示されないが、本発明のより広い態様から逸脱することなく、バイアス部材１８をかみそりカートリッジ１２に連結することもできる。これらの実施形態においては、バイアス部材１８は、かみそりカートリッジ１２に取り付けられ、ネック１４及び／又はハンドル１６に押し付けられる。いずれの場合も、バイアス部材１８は、かみそりカートリッジ１２を中立位置４６の方向に付勢する。
【００１８】
図８〜図８Ａを参照すると、かみそりカートリッジ１２が、少なくとも１つの刃２０と、キャップ２２と、随意的に、すすぎ通過部材２４とを含む。さらに、上述のように、かみそりカートリッジ１２は、ネック部分１４の第１連結部材２８にピボット運動可能に連結する補完的な連結部材３４を含む。上述のように、補完的な連結部材３４は、「オス型」又は「メス型」とすることができ、所望の数の連結点を有することができる。ネック１４に連結されると、かみそりカートリッジ１２は、中立位置４６（例えば、図６を参照されたい）と回転位置４８（例えば、図７を参照されたい）との間で、ハンドル１６及びガードバー２６の皮膚係合面３２に対してピボット運動するように作動可能である。図６に示されるように、中立位置４６の方向にピボット運動されると、かみそりカートリッジ１２は、通常のシェービング中、剃られる表面の方向に、ハンドル１６（したがって、ガードバーの皮膚係合面３２）に対してピボット運動される。反対に、回転位置の方向にピボット運動されると、かみそりカートリッジ１２は、ハンドル１６及びガードバー２６の皮膚係合面３２に対して、剃られる表面から遠ざかるようにピボット運動される。
【００１９】
かみそりカートリッジ１２内の少なくとも１つの刃２０が、鋭利な刃先５０を有する。かみそり刃２０、及びかみそりカートリッジ１２内のかみそり刃２０の配置は、当業者には周知であり、したがって、ここではより詳細に説明されない。キャップ２２は、刃２０の後部のかみそりカートリッジ１２上に配置され、シェービング補助剤（図示せず）を含むコンフォート・ストリップのような付加的な要素を含むことができる。キャップ２２もまた、当業者には周知であり、したがって、ここでより詳細に説明されない。
【００２０】
図８Ａに示されるように、本発明のかみそりカートリッジ１２の幾つかの実施形態は、すすぎ通過部材２４をさらに含むことができる。これらの実施形態において、すすぎ通過部材２４は、刃２０の前方にあり、好ましくは、ガードバー２６の皮膚係合面３２にほぼ隣接している。かみそりカートリッジ１２の一部として、すすぎ通過部材２４もまた、ハンドル１６及びガードバー２６の皮膚係合面３２に対してピボット運動可能である。すすぎ通過部材２４は、皮膚係合面３２の後部の第１の刃５２から所定の距離をおいてセットされる。使用中、一般に、すすぎ通過部材２４は、皮膚係合面３２の後部の第１の刃５２と接触する前に、剃られる表面に係合する。上述の方法で剃られる表面に係合することによって、表面が刃２０に接近するとき、すすぎ通過部材２４が、剃られる表面を適切に配向する。さらに、すすぎ通過部材２４は、該すすぎ通過部材２４自体と該すすぎ通過部材２４の後部の第１の刃５２との間のすすぎの通過を促進するような形状にされ、このことにより、ユーザが、あらゆる収集したごみを洗い流すことが可能になる。
【００２１】
ここで図９〜図１１Ａを参照すると、すすぎ通過部材２４は、面（「Ｐ」）の上方に（図９）、これとほぼ一致して（図１０）、又はこれの下方に（図１１）配置することができる。面「Ｐ」は、ガードバー２６の皮膚係合面３２の最外面及びキャップ２２の最外部分と接する面として定義される。中立位置４６と回転位置４８との間でかみそりカートリッジ１２がピボット運動する際、一般に、面「ｐ」に対するすすぎ通過部材２４の配向は、同じままである（図９を図９Ａと、図１０を図１０Ａと、図１１を図１１Ａと比較されたい）。
【００２２】
再び図４〜図４Ａを参照すると、組み立てにおいて、かみそりカートリッジ１２、ネック１４、及びハンドル１６は、ネック１４がハンドル１６から延び、かみそりカートリッジ１２が、ネック１４上のガードバー２６の皮膚係合面３２に対してピボット運動可能なように取り付けられる。バイアス部材１８は、かみそりカートリッジ１２を中立位置４６の方向に付勢する。
【００２３】
作動において、ここで図４〜図８Ａを参照すると、ユーザは、本発明の組み立てられたシェービング器具１０を、剃られる表面と接触させる。ユーザが、シェービング器具１０を剃られる表面に押し付け、これに沿って該シェービング器具１０を引き寄せるとき、毛を切るかみそり刃２０の力により、かみそりカートリッジ１２が、回転位置４８の方向にハンドル１６に対してピボット運動される。したがって、バイアス部材１８は、刃２０にかかる力に反発して、かみそりカートリッジ１２を元の中立位置４６の方向に付勢する。その間、ガードバー２６の皮膚係合面３２を通り過ぎる剃られる表面によってもたらされる摩擦力が、ハンドル１６に伝達される。言い換えれば、通常のシェービングの際、ガードバー２６の皮膚係合面３２を通り過ぎる剃られる表面と関連した摩擦力が、中立位置４６と回転位置４８との間のかみそりカートリッジ１２のピボット運動に与える影響は、ごくわずかである。
【００２４】
当業者であれば、特定の要件に適合し得るここに示される本発明の正確な形態の種々の変更及び適合があることを容易に理解するであろう。
【図面の簡単な説明】
【００２５】
【図１】従来のシェービング器具の従来技術の図である。
【図２】剃られる表面に押し付けられる従来のシェービング器具の従来技術の図である。
【図３】通常のシェービングの際、剃られる表面から遠ざかるように回転された従来のシェービング器具の従来技術の図である。
【図４】本発明のシェービング器具の前部の全体的な等角図である。
【図４Ａ】図４のシェービング器具の分解図である。
【図４Ｂ】本発明のシェービング器具の後部の全体的な等角図である。
【図５】本発明のかみそりカートリッジ及びネックの正面図である。
【図６】中立位置にある、本発明のかみそりカートリッジ及びネックの側面図である。
【図６Ａ】図５のかみそりカートリッジ及びネックの線６Ａ−６Ａに沿った断面図である。
【図７】回転位置にある、本発明のかみそりカートリッジ及びネックの側面図である。
【図７Ａ】図５のかみそりカートリッジ及びネックの線７Ａ−７Ａに沿った断面図である。
【図８】本発明のかみそりカートリッジの等角図である。
【図８Ａ】カートリッジがすすぎ通過部材を含む、本発明のかみそりカートリッジの等角図である。
【図９】すすぎ通過部材が剃毛面の上方にある、中立位置にあるすすぎ通過部材を有するかみそりカートリッジの概略である。
【図９Ａ】すすぎ通過部材が剃毛面の上方にある、回転位置にあるすすぎ通過部材を有するかみそりカートリッジの概略である。
【図１０】すすぎ通過部材が剃毛面とほぼ一致する、中立位置にあるすすぎ通過部材を有するかみそりカートリッジの概略である。
【図１０Ａ】すすぎ通過部材が剃毛面とほぼ一致する、回転位置にあるすすぎ通過部材を有するかみそりカートリッジの概略である。
【図１１】すすぎ通過部材が剃毛面の下方にある、中立位置にあるすすぎ通過部材を有するかみそりカートリッジの概略である。
【図１１Ａ】すすぎ通過部材が剃毛面の下方にある、回転位置にあるすすぎ通過部材を有するかみそりカートリッジの概略である。
【図１】
2008540053.tif 000003
【図２】
2008540053.tif 000004
【図３】
2008540053.tif 000005
【図４】
2008540053.tif 000006
【図４Ａ】
2008540053.tif 000007
【図４Ｂ】
2008540053.tif 000008
【図５】
2008540053.tif 000009
【図６】
2008540053.tif 000010
【図６Ａ】
2008540053.tif 000011
【図７】
2008540053.tif 000012
【図７Ａ】
2008540053.tif 000013
【図８】
2008540053.tif 000014
【図８Ａ】
2008540053.tif 000015
【図９】
2008540053.tif 000016
【図９Ａ】
2008540053.tif 000017
【図１０】
2008540053.tif 000018
【図１０Ａ】
2008540053.tif 000019
【図１１】
2008540053.tif 000020
【図１１Ａ】
2008540053.tif 000021
【国際調査報告】
2008540053.tif 000022
2008540053.tif 000023